(57)【要約】【課題】固定フレームのフレーム本体部の前後方向の設置位置を自在に調節でき、便器本体、ロータンク等の給水部、排水管等の排水部などの設置位置の変更などに柔軟に対応することが可能な壁掛け便器を提供すること。【解決手段】便器本体４の後端部側を接続して便器本体４を片持ち状態で支持するとともに、ロータンク７を支持するフレーム本体部１５と、フレーム本体部１５を建築部材に接続して支持する接続支持部１６とからなる固定フレーム８を備える。接続支持部１６を、壁材（後壁１０１）との前後方向Ｔ１の間に所定の間隔をあけて配設されたフレーム本体部１５と建築部材とを連結してフレーム本体部１５を支持するための連結部材３６を備える。そして、連結部材３６によって、フレーム本体部１５の前後方向Ｔ１の位置を調節可能にフレーム本体部１５と建築部材とを連結する。【選択図】図５
2020111926.tif 000002
【特許請求の範囲】
【請求項１】
便器本体の後端部側を接続して前記便器本体を片持ち状態で支持するとともに、ロータンクを支持するフレーム本体部と、前記フレーム本体部を建築部材に接続して支持する接続支持部とからなる固定フレームを備え、
前記接続支持部は、壁材との前後方向の間に所定の間隔をあけて配設された前記フレーム本体部と前記建築部材とを連結して前記フレーム本体部を支持するための連結部材を備え、
前記連結部材が、前記壁材に対する前記フレーム本体部の前後方向の位置を調節可能に前記フレーム本体部と前記建築部材とを連結する、壁掛け便器。
【請求項２】
前記接続支持部は、前記フレーム本体部の下端部を床構造に接続するための下側接続部と、前記フレーム本体部の上端部側を前記壁材側の建築部材に接続するための上側接続部とを備え、
前記上側接続部が、前記壁材側に配設される補強木と、前記補強木と前記フレーム本体部の上端部側とを連結する前記連結部材と、前記補強木を前記建築部材に接続して固定する固定具とを備えて構成されている、請求項１に記載の壁掛け便器。
【請求項３】
前記連結部材が、ねじボルトであり、両端部側をそれぞれ、前記フレーム本体部と前記補強木とにナットで接続して配設されている、請求項２に記載の壁掛け便器。
【発明の詳細な説明】
【技術分野】
【０００１】
本発明は、壁掛け便器に関する。
【背景技術】
【０００２】
従来、トイレルームの壁側に設置した固定フレームに後端側を接続し、片持ち状態で便器本体を設けてなる壁掛け便器（壁掛け式の便器装置）がある（例えば、特許文献１、特許文献２参照）。
【０００３】
壁掛け便器は、例えば、便器本体とともに固定フレームにロータンクを支持させて配設し、便器本体の後端側に設けられた排水口（排水孔）に排水管を接続し、固定フレーム、ロータンク、排水管等を、カウンターパネル（天板）及び前面パネルを備えてなるトイレ用キャビネット内に納めて構成されている。
【０００４】
これにより、トイレルームに便器本体のみが片持ち状態で露出し、通常の床面設置型の便器装置と比較し、トイレルーム内の意匠性等をよくすることができ、また、便器本体と床面の間に空間が形成されるため、清掃等、メンテナンス性を向上させることが可能になる。
【０００５】
また、一般に、固定フレームは、後壁などの壁材との前後方向の間に所定の間隔をあけて立設され、便器本体、ロータンク等の給水部、排水管等の排水部を取り付けて支持するフレーム本体部と、壁材側の柱材や補強下地等の建築部材とフレーム本体部とを連結してフレーム本体部を支持するアングル材等の連結部材とを備えて構成されている。
【先行技術文献】
【特許文献】
【０００６】
【特許文献１】特開２００８−２４０３８０号公報
【特許文献２】特開２０１５−００１０７７号公報
【発明の概要】
【発明が解決しようとする課題】
【０００７】
一方、壁掛け便器を設置する現場の状況、条件などによっては、固定フレームのフレーム本体部の前後方向の設置位置、言い換えれば、便器本体の前後方向の設置位置、ロータンク等の給水部、排水管等の排水部の設置位置を調節することが必要になるケースもある。
【０００８】
しかしながら、上記従来の壁掛け便器においては、固定フレームの連結部材として強固で堅牢なアングル材などの部材を用い、フレーム本体部を強固に建築部材に接続して支持するように構成されている。このため、フレーム本体部の前後方向の設置位置に変更などが生じると、これに応じた連結部材を用意する必要があり、場合よっては固定フレームの構造自体を変更する必要が生じ、柔軟に対応できないという不都合があった。
【０００９】
本発明は、固定フレームのフレーム本体部の前後方向の設置位置を自在に調節でき、便器本体、ロータンク等の給水部、排水管等の排水部などの設置位置の変更などに柔軟に対応することが可能な壁掛け便器を提供することを目的とする。
【課題を解決するための手段】
【００１０】
本発明者は、固定フレームのフレーム本体部の前後方向の設置位置を自在に調節でき、便器本体、ロータンク等の給水部、排水管等の排水部などの設置位置の変更などに柔軟に対応する手段を見出し、本発明を完成するに至った。
【００１１】
（１）本発明は、便器本体（例えば、後述の便器本体４）の後端部側を接続して前記便器本体を片持ち状態で支持するとともに、ロータンク（例えば、後述のロータンク７）を支持するフレーム本体部（例えば、後述のフレーム本体部１５）と、前記フレーム本体部を建築部材（例えば、後述の隅柱１０４、補強下地１０５、柱側受け木１０６）に接続して支持する接続支持部（例えば、後述の接続支持部１６）とからなる固定フレーム（例えば、後述の固定フレーム８）を備え、前記接続支持部は、壁材（例えば、後述の後壁１０１）との前後方向（例えば、後述の前後方向Ｔ１）の間に所定の間隔をあけて配設された前記フレーム本体部と前記建築部材とを連結して前記フレーム本体部を支持するための連結部材（例えば、後述の連結部材３６）を備え、前記連結部材が、前記壁材に対する前記フレーム本体部の前後方向の位置を調節可能に前記フレーム本体部と前記建築部材とを連結することを特徴とする。
【００１２】
（２）本発明は、上記（１）において、前記接続支持部は、前記フレーム本体部の下端部を床構造（例えば、後述の床構造１０３）に接続するための下側接続部（例えば、後述の下側接続部３０）と、前記フレーム本体部の上端部側を前記壁材側の建築部材に接続するための上側接続部（例えば、後述の上側接続部３１）とを備え、前記上側接続部が、前記壁材側に配設される補強木（例えば、補強木３５）と、前記補強木と前記フレーム本体部の上端部側とを連結する前記連結部材と、前記補強木を前記建築部材に接続して固定する固定具（例えば、後述の固定具３７）とを備えて構成されていてもよい。
【００１３】
（３）本発明は、上記（１）または（２）において、前記連結部材が、ねじボルトであり、両端部側をそれぞれ、前記フレーム本体部と前記補強木とにナットで接続して配設されていてもよい。
【００１４】
ここで、本発明における「補強木」は必ずしも木材、木質材でなくてもよく、「補強材」を意味する。
【発明の効果】
【００１５】
本発明においては、固定フレームのフレーム本体部が、連結部材によって壁材に対するその前後方向の位置を調節可能に建築部材に連結して配設されている。
【００１６】
これにより、壁掛け便器を設置する現場の状況、条件などによって、固定フレームのフレーム本体部の前後方向の設置位置、すなわち、便器本体の前後方向の設置位置、ロータンク等の給水部、排水管等の排水部の設置位置を調節する必要が生じた場合であっても、連結部材によってフレーム本体部の位置を調節し、柔軟に対応することができる。
【００１７】
よって、従来のように固定フレームの構造を変更するなどの多大な手間と労力を不要にでき、施工性、経済性、取扱性に優れた壁掛け便器を実現することが可能になる。
【図面の簡単な説明】
【００１８】
【図１】本発明の一実施形態に係るトイレルーム、壁掛け便器を示す正面図である。
【図２】本発明の一実施形態に係る壁掛け便器を示す平面図である。
【図３】本発明の一実施形態に係る壁掛け便器を示す側面図である。
【図４】本発明の一実施形態に係る壁掛け便器を示す斜視図である。
【図５】本発明の一実施形態に係る壁掛け便器の固定フレームを示す斜視図である。
【図６】本発明の一実施形態に係る壁掛け便器の固定フレームの上側接続部を示す斜視図である。
【図７】本発明の一実施形態に係る壁掛け便器の固定フレームの上側接続部を示す斜視図である。
【発明を実施するための形態】
【００１９】
以下、図１から図７を参照し、本発明の一実施形態に係る壁掛け便器（壁掛け式の便器装置）について説明する。
【００２０】
ここで、図１は、本実施形態の壁掛け便器２を設置したトイレルーム１００の内部を示した図であり、本実施形態のトイレルーム１００は、略直方形の空間で、長手方向がトイレルーム１００の手前側の入口（不図示）と入口に対向する奥側の後壁１０１とを結ぶ前後方向Ｔ１に沿っている。
【００２１】
トイレルーム１００は、奥側の後壁１０１と、後壁１０１の幅方向Ｔ２の一方と他方の一対の側壁１０２と、出入口用の扉が設けられた前壁（不図示）と、床構造１０３とを備えて構成されている。
【００２２】
また、トイレルーム１００は、図２に示すように、各角部に建築部材の柱材の隅柱１０４を設けて構成され、後壁１０１の壁裏には、幅方向Ｔ２の両角部に設けられた左右一対の隅柱１０４に架け渡すようにして補強下地（補強受け木）１０５が配設されている。また、各隅柱１０４には柱側受け木１０６が取り付けられている。柱側受け木１０６は、上下方向に沿って延設されている。
【００２３】
なお、本実施形態において、上下方向Ｔ３は天地方向であり、幅方向Ｔ２はトイレルーム１００の入口側から後壁１０１に向かって左右を結ぶ横方向を意味する。
【００２４】
そして、トイレルーム１００には、図１から図３に示すように、トイレ用キャビネット３や便器本体４などを備えてなる壁掛け便器２が設置され、奥側の後壁１０１に一体にトイレ用キャビネット３が設けられ、トイレ用キャビネット３の前パネル３ａから便器本体４が片持ち状態で前方に突き出すように設けられている。
【００２５】
具体的に、本実施形態の壁掛け便器装置２は、便器本体４、便座５及び便蓋６と、便器本体４及びロータンク７等を支持する固定フレーム８と、便器本体４に水を供給するロータンク７及び給水管９からなる給水部１０と、便器本体４から排水本管１１に排水を排出するための排水部１２と、固定フレーム８、給水部１０、排水部１２等を収容するトイレ用キャビネット３とを備えて構成されている。
【００２６】
便器本体４は、図４に示すように、上部が開口した凹状のボウル部４ａを有する陶器などの容器であり、ボウル部４ａの底部に汚物等を排出する排水孔（排水口）４ｂを備えて形成されている。また、便器本体４は、トラップ部４ｃを備え、排水孔４ｂがトラップ部４ｃを通じて便器本体４の後端側（背面側）に開口形成されている。
【００２７】
図１から図４に示すように、便座５は、便器本体４の上に配設され、使用者が着座する部材であり、便蓋６は、便器本体４のボウル部４ａの上部開口を覆う蓋材であり、それぞれ、便器本体４の後方側に配されたヒンジ部で接続され、ヒンジ部の幅方向Ｔ２に沿う回動軸周りに回動可能、ひいては便器本体４のボウル部４ａを開閉可能に設けられている。
【００２８】
固定フレーム８は、図４及び図５（図１から図３）に示すように、便器本体４の後端側を接続して便器本体４を片持ち状態で支持するとともにロータンク７（給水部１０）を支持するフレーム本体部１５と、フレーム本体部１５を隅柱１０４、補強下地１０５、柱側受け木１０６などの建築部材に接続して支持するための接続支持部１６とを備えて構成されている。
【００２９】
フレーム本体部１５は、幅方向Ｔ２に所定の間隔をあけて立設された一対の縦材（縦桟）１７、１８と、一対の縦材１７、１８の上端部に接続し、幅方向Ｔ２に延設された横材（上桟）１９と、横材１９よりも下方に配設され、一端を一方の縦材１７に、他端を他方の縦材１８にそれぞれ接続して幅方向Ｔ２に沿って架設された連結横材（下桟）２０とを備えている。
【００３０】
フレーム本体部１５は、例えば、縦材１７、１８が角鋼管、横材１９がＬ字アングル、連結横材２０がコの字型板金を用いて形成されている。なお、横材１９は必ずしもＬ字アングルでなくてもよく、例えば、Ｌ字以外のアングル（他の形鋼材：鋼材に限定する必要もない）であってもよい。
【００３１】
本実施形態のフレーム本体部１５は、横材１９のＬ字アングルの一片１９ａ側をその板面を前後方向Ｔ１に向け、一対の縦材１７、１８の前面に面接触するように配し、他片１９ｂ側をその板面を上下方向Ｔ３に向け、一対の縦材１７、１８の上端に接触するように配しつつ、溶接やボルト接合などの適宜手段を用いて、一対の縦材１７、１８に一体に接続固定されている。
【００３２】
フレーム本体部１５は、横材１９が一対の縦材１７、１８の間隔よりも大きな幅寸法（長さ）で形成され、横材１９の一端部側が一方の縦材１７よりも幅方向Ｔ２外側に、横材１９の他端部側が他方の縦材１８よりも幅方向Ｔ２外側にそれぞれ延出して形成されている。これにより、フレーム本体部１５は、略鳥居形を呈するように形成されている。
【００３３】
また、フレーム本体部１５は、一対の縦材１７、１８のそれぞれの所定の高さ位置に、便器固定ボルト２１が前方に突出して取り付けられている。これにより、フレーム本体部１５は、便器本体４の後端側に設けられたボルト挿通孔に便器固定ボルト２１を挿通しナットを締結することによって、フレーム本体部１５の前方側に配された便器本体４を片持ち状態で接続して支持するように構成されている。
【００３４】
フレーム本体部１５には、ロータンク７を支持するタンク支持部材２２が着脱可能に取り付けられている。
【００３５】
タンク支持部材２２は、フレーム本体部１５の後方側でロータンク７を載置台２２ａ上に載置して支持するように形成されており、例えば、一対の縦材１７、１８にそれぞれ穿設されたボルト挿通孔にボルト接合するなどし、フレーム本体部１５の後方側に配設されている。
【００３６】
本実施形態においては、一対の縦材１７、１８にそれぞれ、上下方向Ｔ３に所定の間隔をあけて複数のボルト挿通孔が設けられ、任意のボルト挿通孔を用いてボルト接合することにより、タンク支持部材２２の載置台２２ａの高さ位置ひいてはロータンク７の設置位置を任意に調節できるように構成されている。
【００３７】
フレーム本体部１５には、図３から図５に示すように、便器本体４の排水孔４ｂと、排水本管１１に繋がる排水本管接続部２３とを接続するための排水管接続部材２４が取り付けられている。
【００３８】
排水管接続部材２４は、一対の縦材１７、１８にそれぞれ両側端部を接続して一対の縦材１７、１８の間に架設される固定板部２５を備えている。また、排水管接続部材２４は、略円筒状に形成され、固定板部２５の中央を貫通するように一体に設けられ、フレーム本体部１５の前方側に突出して配された便器排水孔接続部２６を便器本体４の排水孔４ｂに嵌合して固定し、フレーム本体部１５の後方側に突出して配された配管接続部２７に配管２８を嵌合して固定し、便器本体４の排水孔４ｂと排水本管１１とを接続して連通させるように構成されている。
【００３９】
一方、フレーム本体部１５を隅柱１０４、補強下地１０５、柱側受け木１０６などの建築部材に接続して支持するための接続支持部１６は、図５、図６、図７（図２から図４）に示すように、フレーム本体部１５の一対の縦材１７、１８の下端部をトイレルーム１００の床構造１０３に接続するための下側接続部３０と、フレーム本体部１５の横材（上桟）１９を後方の壁側の建築部材（１０４、１０５、１０６）に接続するための上側接続部３１とを備えている。
なお、本実施形態における「補強木」、「補強下地」、「柱側受け木」は必ずしも木材、木質材でなくてもよく、それぞれ、「補強材」、「補強下地材」、「柱側受け材」を意味する。
【００４０】
下側接続部３０は、各縦材１７、１８の下端に溶接などして取り付けられた取付板３０ａを備え、例えば、取付板３０ａに貫通形成された貫通孔を通じて床構造１０３にビス止めするなどし、フレーム本体部１５を垂直に立設した状態で支持する。
【００４１】
なお、下側接続部３０を接続してフレーム本体部１５を支持する本実施形態の床構造１０３は、例えば木造住宅の場合、２本の平行な大引きと、大引きの上に所定間隔をあけて一体に配設されるとともに大引きと直交して並設された複数の根太と、これら根太の上に取り付けて敷設された耐水合板と、耐水合板の上面全体に貼設された化粧板とを備えて構成されている。
また、床構造１０３には、上面から下面に貫通する排水管挿通孔３２が所定位置に設けられている。
【００４２】
上側接続部３１は、フレーム本体部１５から後方側に間隔をあけて後壁側に配設される補強木３５と、補強木３５とフレーム本体部１５の横材１９とを連結する連結部材３６と、幅方向Ｔ２に沿って水平の横方向に延設された補強木３５の両端部と後壁側の建築部材（１０４、１０５、１０６）とを接続して補強木３５を固定するための固定具３７とを備えて構成されている。
【００４３】
補強木３５は、例えば、矩形平板状に形成され、裏面をトイレルーム１００の後壁１０１の壁材に面接触させ、幅方向Ｔ２の長手方向を水平の横方向に向けて配設される。補強木３５は、フレーム本体部１５の横材１９と対峙する高さ位置に配設される。補強木３５は、トイレルーム１００を構成する後壁１０１の壁材の幅寸法や左右一対の隅柱１０４の間隔に応じ、切断するなどして現場に適した長さに調整して使用される。
【００４４】
連結部材３６は、例えば、全ねじボルト（一部にねじ部を備えたねじボルトであっても構わない）であり、補強木３５の前面にビス止めするなどして固着した板付きナット３８に一端を螺着し、フレーム本体部１５の横材１９の前後方向Ｔ１を向く一片１９ａに貫通形成したボルト挿通孔に他端側を挿通するとともにナットを螺着して配設される。また、本実施形態では、縦材１７、１８よりも幅方向Ｔ２外側に延出したフレーム本体部１５の横材１９の両端部側（各延出部１９ｃ）にボルト挿通孔が貫通形成され、各ボルト挿通孔に前後方向Ｔ１に対向する補強木３５の位置に板付きナット３８が配設されている。
【００４５】
これにより、左右一対の全ねじボルトである連結部材３６は、同高さ位置で平行に配設されるとともに、フレーム本体部１５の一対の縦材１７、１８の間隔よりも大きな所定の間隔をあけて配設され、後壁１０１の壁材の所定位置に面接触した補強木３５とフレーム本体部１５の横材１９（フレーム本体部１５の上端部側）とを連結する。
【００４６】
また、このとき、左右一対の連結部材３６の間の幅方向Ｔ２の間隔、及びフレーム本体部１５と後壁１０１の間の前後方向Ｔ１の間隔は、左右一対の連結部材３６の間を通してロータンク７を斜めにすることなく上下に出し入れできる寸法とされている。
【００４７】
なお、連結部材３６が全ねじボルトであることにより、補強材３５とフレーム本体部１５の前後方向Ｔ１の間隔を自在に調整することが可能になる。これにより、フレーム本体部１５の設置位置ひいては便器本体４の設置位置を自在に調整することが可能になる。さらに、後壁１０１に不陸がある場合など、一対の連結部材３６の長さをそれぞれ調整することで、好適に補強材３５及びフレーム本体部１５を位置決めして配設することが可能になる。
【００４８】
固定具３７は、図５、図６（図２から図４）に示すように、例えば、補強木３５の両端部側にそれぞれ接続し、補強木３５の各端部と建築部材（１０４、１０５、１０６）とを接続するための固定金具であり、補強木３５の一端部又は他端部に接続する補強木側接続部４０と、建築部材の壁材１０１を通じて壁裏に配された建築部材（補強下地１０５や柱側受け木１０６）に接続する壁側接続部４１と、建築部材の柱材（隅柱１０４）に接続する柱側接続部４２とを備えている。
【００４９】
さらに、本実施形態の左右一対の固定具３７はそれぞれ、水平の横方向に延設された補強木３５の前面に面接触してビス止め（又はボルト止め）して接続するための略平板状の補強木側接続部４０と、補強木側接続部４０から補強木３５の端部（側端部）を覆うように後方に延びる略平板状の段部４３と、段部４３から補強木３５の幅方向Ｔ２外側に延びる略平板状の壁側接続部４１と、壁側接続部４１から幅方向Ｔ２外側に向かうに従い漸次前方側に延びる、すなわち、斜めに延設された略平板状の柱側接続部４２と、柱側接続部４２から柱材（隅柱１０４）の側面に沿って前方に延びる添え板部４４とを備えて形成されている。
【００５０】
補強木側接続部４０と壁側接続部４１と柱側接続部４２にはそれぞれ、ビス（又はボルト）を挿通して補強木側接続部４０と壁側接続部４１と柱側接続部４２をそれぞれ補強木３５、又は建築部材（１０４、１０５、１０６）に接続するための複数の貫通孔が設けられている。
【００５１】
壁側接続部４１には、例えば、隣り合う一対の隅柱１０４に支持させて架設され、壁裏に配設された建築部材の補強下地（横受け木）１０５に接続するための複数の補強下地用の貫通孔４５と、隅柱１０４の柱材に取り付けて上下方向Ｔ３に延設された壁側受け木（縦受け木）１０６に接続するための複数の受け木用の貫通孔４６とが設けられている。
【００５２】
そして、例えば、補強木側接続部４０を補強木用の貫通孔４８にビスを挿通しつつ補強木３５の端部側に接続し、隅柱１０４に接続する際には、柱側接続部４２の貫通孔４７や壁側接続部４１の受け木用の貫通孔４６にビスを挿通しつつ柱側接続部４２を隅柱１０４に、壁側接続部４１を柱側受け木１０６に接続し、補強下地１０５に接続する際には、壁側接続部４１の補強下地用の貫通孔４５と受け木用の貫通孔４６にビスを挿通しつつ壁側接続部４１を補強下地１０５に接続し、固定具３７によって補強木３５を建築部材（１０４、１０５、１０６）に支持させて強固に設置する。
【００５３】
この補強木３５に連結部材３６を介してフレーム本体部１５が接続することで、フレーム本体部１５の一対の縦材１７、１８に後端部側をボルト接続して便器本体４を設け、フレーム本体部１５の後方側にタンク支持部材２２を取り付け、ロータンク７を載置して設けた場合であっても、フレーム本体部１５ひいては固定フレーム８によって便器本体４、ロータンク７を好適に支持して配設することができる。
【００５４】
また、図３、図５に示すように、フレーム本体部１５に取り付けられた排水管接続部材２４の便器排水孔接続部２６に便器本体４の排水孔４ｂが嵌合して接続され、排水管接続部材２４の配管接続部２７ひいては便器本体４の排水孔４ｂと、排水本管１１とが、蛇腹管やエルボ管、直管などの配管２８を用い、また、床構造１０３の排水管挿通孔３２を通じて接続される。
【００５５】
トイレ用キャビネット３は、図１から図３に示すように、フレーム本体部１５に支持させ、便器本体４とフレーム本体部１５の間に後壁１０１と平行に配設されて化粧面を形成する前パネル３ａと、前パネル３ａと後壁１０１との間の空間を閉塞するカウンターパネル（天板）３ｂとを備えて構成されている。これにより、キャビネット３内に、固定フレーム８、ロータンク７等の給水部１０、配管２８等の排水部１２が収容される。
【００５６】
そして、上記構成からなる本実施形態の壁掛け式の便器装置２においては、固定フレーム８のフレーム本体部１５が、連結部材３６によって壁材（後壁１０１）に対するその前後方向Ｔ１の位置を調節可能に建築部材（隅柱１０４、補強下地１０５、柱側受け木１０６）に連結して配設されている。
【００５７】
これにより、壁掛け便器２の便器本体４を設置する現場の状況、条件などによって、固定フレーム８のフレーム本体部１５の前後方向Ｔ１の設置位置、すなわち、便器本体４の前後方向Ｔ１の設置位置、ロータンク７等の給水部１０、排水管等の排水部１２の設置位置を調節する必要が生じた場合であっても、連結部材３６によってフレーム本体部１５の位置を調節し、柔軟に対応することができる。
【００５８】
また、連結部材３６による後壁１０１とフレーム本体部１５の前後方向Ｔ１の間隔の調節可能な範囲内で、ロータンク７の厚さを設定することができ、厚さが薄いロータンク７や厚いロータンク７などを任意に設置することも可能になる。
【００５９】
さらに、本実施形態の壁掛け式の便器装置２においては、接続支持部１６が下側接続部３０と上側接続部３１とを備え、上側接続部３１が、後壁１０１側に配設される補強木３５と、補強木３１とフレーム本体部１５の上端部側の横材１９とを連結する連結部材３６と、補強木３５を建築部材（隅柱１０４、補強下地１０５、柱側受け木１０６）に接続して固定する固定具３７とを備えて構成されている。
【００６０】
このように接続支持部１６を構成することによって、連結部材３６として、従来の強固で堅牢なアングルなどではなく、全ねじボルトなどの比較的簡易な部材を用いてフレーム本体部１５の上端部側を上側接続部３１で建築部材（隅柱１０４、補強下地１０５、柱側受け木１０６）に連結し支持することが可能になる。これとともに、取扱性のよい小さな取付板３０ａを下側接続部３０として用い、フレーム本体部１５の下端部側を床構造１０３に接続して好適に支持することが可能になる。
【００６１】
さらに、本施形態の壁掛け式の便器装置２においては、連結部材３６が、ねじボルト（全ねじボルトなど）であり、両端部側をそれぞれ、フレーム本体部１５と補強木３５とにナットで接続して配設されていることにより、ねじボルトの螺入量（螺合位置）を調節するだけで、容易にフレーム本体部１５の設置位置を調節することができる。
【００６２】
よって、本実施形態の壁掛け便器２によれば、壁掛け便器２の便器本体４を設置する現場の状況、条件などによって、固定フレーム８のフレーム本体部１５の前後方向Ｔ１の設置位置（便器本体４の前後方向Ｔ１の設置位置、ロータンク７等の給水部１０、排水管等の排水部１２の設置位置）を調節する必要が生じた場合であっても、従来のように固定フレームの構造を変更するなどの多大な手間と労力を不要にでき、施工性、経済性、取扱性に優れた壁掛け便器２を実現することが可能になる。
【００６３】
また、タンク支持部材２２が、例えば、一対の縦材１７、１８にそれぞれ穿設されたボルト挿通孔にボルト接合するなどし、フレーム本体部１５の後方側に配設されるとともに、一対の縦材１７、１８にそれぞれ、上下方向Ｔ３に所定の間隔をあけて複数のボルト挿通孔が設けられている。これにより、任意のボルト挿通孔を用いてボルト接合することで、タンク支持部材２２の載置台２２ａの高さ位置を任意の高さ位置に容易に調節することができる。
【００６４】
すなわち、本実施形態の壁掛け便器２においては、ロータンク７を支持するタンク支持部材２２が、便器本体２とともにロータンク７を支持する固定フレーム８のフレーム本体部１５に、独立の部材として具備され、このタンク支持部材２２がボルト結合などによってフレーム本体部１５の任意の高さ位置に着脱可能に設けられている。
【００６５】
これにより、ロータンク７の高さ位置、すなわち、給水立上げ位置を容易に変更、調節することができ、壁掛け便器２を設置する現場の状況、条件などによっては給水立上げ位置、ロータンク７の高さ位置を調節することが必要になった場合であっても、容易に且つ柔軟に対応することができる。
【００６６】
また、フレーム本体部１５と補強木３５（建築部材）とを接続する左右一対の連結部材３６が全ねじボルトなどとされ、フレーム本体部１５と補強木３５の間の前後方向Ｔ１の間隔を調節可能とされている。さらに、左右一対の連結部材３６の間の幅方向Ｔ２の間隔、及びフレーム本体部１５と後壁１０１の間の前後方向Ｔ１の間隔が、左右一対の連結部材３６の間を通してロータンク７を斜めにすることなく上下に出し入れできる寸法とされている。
【００６７】
これにより、本実施形態の壁掛け便器２においては、ロータンク７の設置や取り外し等を容易に行うことが可能になる。
【００６８】
以上、本発明に係る壁掛け便器の一実施形態について説明したが、本発明は上記の一実施形態に限定されるものではなく、その趣旨を逸脱しない範囲で適宜変更可能である。
【符号の説明】
【００６９】
２  壁掛け便器（壁掛け式の便器装置）
４  便器本体
７  ロータンク
８  固定フレーム
１５  フレーム本体部
１６  接続支持部
２２  タンク支持部材
２２ａ  載置台
３０  下側接続部
３１  上側接続部
３５  補強木
３６  連結部材
３７  固定具
１００  トイレルーム
１０１  後壁（壁材、建築部材）
１０２  側壁
１０３  床構造
１０４  隅柱（柱材、建築部材）
１０５  補強下地（補強受け木、建築部材）
１０６  柱側受け木（受け木、建築部材）
Ｔ１  前後方向
Ｔ２  幅方向
Ｔ３  上下方向
【図１】
2020111926.tif 000003
【図２】
2020111926.tif 000004
【図３】
2020111926.tif 000005
【図４】
2020111926.tif 000006
【図５】
2020111926.tif 000007
【図６】
2020111926.tif 000008
【図７】
2020111926.tif 000009